【手続補正書】
【提出日】平成26年11月4日(2014.11.4)
【手続補正１】
【補正対象書類名】特許請求の範囲
【補正対象項目名】全文
【補正方法】変更
【補正の内容】
【特許請求の範囲】
【請求項１】
入力ノードと、
前記入力ノードを通じて受信される第１電圧ドメインの入力クロックに応じて第２電圧ドメインの出力クロックを発生するように構成される第１及び第２電圧変換回路と、
前記出力クロックを出力する出力ノードと、を含み、
前記第１及び第２電圧変換回路は同一な構造を有し、前記入力ノード及び出力ノードの間に並列に連結され、
前記第１電圧変換回路は前記第２電圧ドメインで動作する少なくとも２つのインバータを含み、
前記第２電圧変換回路は前記第１電圧ドメインで動作する少なくとも１つのインバータと前記第２電圧ドメインで動作する少なくとも１つのインバータとを含む、レベル変換器。
【請求項２】
前記第２電圧ドメインで動作する少なくとも１つのインバータは前記第１電圧ドメインで動作する少なくとも１つのインバータの出力を受信するように構成される請求項１に記載のレベル変換器。
【請求項３】
前記第１電圧変換回路は前記入力ノードの電圧にしたがって第２電圧又は接地電圧を出力する第１インバータ及び前記第１インバータの出力にしたがって前記第２電圧又は接地電圧を出力ノードに出力する第２インバータを含み、
前記第２電圧変換回路は前記入力ノードの電圧にしたがって第１電圧又は接地電圧を出力する第３インバータ及び前記第３インバータの出力にしたがって前記第２電圧又は接地電圧を前記出力ノードに出力する第４インバータを含む請求項１に記載のレベル変換器。
【請求項４】
前記第１乃至第４インバータはＣＭＯＳインバータである請求項３に記載のレベル変換器。
【請求項５】
第１電圧ドメインの第１クロックを発生するように構成される位相ロックループと、
前記第１クロックに応じて動作する周辺ブロック、オーディオブロック、ディスプレーブロック、グラフィックブロック、イメージプロセシングブロック、及びコーデックブロックと、
前記第１クロックに基づいて、第２電圧ドメインの第２クロックを発生するレベル変換器と、
前記第２クロックに応じて動作するプロセッサーと、を含み、
前記レベル変換器は入力ノード及び出力ノードの間に並列に連結され、同一な構造を有する第１及び第２電圧変換回路と、を含み、
前記第１電圧変換回路は第２電圧ドメインで動作する少なくとも２つのインバータを含み、
前記第２電圧変換回路は第１電圧ドメインで動作する少なくとも１つのインバータと前記第２電圧ドメインで動作する少なくとも１つのインバータとを含む、システムオンチップ（ＳＯＣ、Ｓｙｓｔｅｍ−Ｏｎ−Ｃｈｉｐ）。
【請求項６】
前記第１電圧変換回路は前記第２電圧ドメインで動作し、直列に連結された第１及び第２インバータを含み、
前記第２電圧変換回路は前記第１電圧ドメインで動作する第３インバータ、及び前記第２電圧ドメインで前記第３インバータの出力に応じて動作する第４インバータを含む請求項５に記載のシステムオンチップ。
【請求項７】
前記第２電圧ドメインの電圧レベルは前記第１電圧ドメインの電圧レベルより高い請求項５に記載のシステムオンチップ。
【請求項８】
プロセッサーと、
前記プロセッサーの動作メモリーと、
前記プロセッサーの制御にしたがって外部と通信するように構成されるモデムと、
前記プロセッサーの制御にしたがってデータを格納するように構成される格納部と、
外部の信号を感知して前記プロセッサーに伝達するように構成される使用者インターフェイスと、
前記プロセッサーの制御にしたがって、ディスプレー部を通じて映像を表示するように構成されるディスプレー制御部と、
前記プロセッサーの制御にしたがって、スピーカーを通じて音を出力するように構成されるサウンド制御部と、
前記プロセッサーの制御にしたがってエンコーディング及びデコーディングを遂行するコーデック部と、
発振器の出力にしたがってクロックを発生するように構成されるクロック発生部と、
前記クロックに同期される第１電圧ドメインの第１クロックを発生する位相ロックループと、
前記第１クロックに応じて第２電圧ドメインの第２クロックを発生するように構成されるレベル変換器と、を含み、
前記プロセッサーは前記第２クロックに応じて動作し、
前記レベル変換器は入力ノード及び出力ノードの間に並列に連結され、同一な構造を有する第１及び第２電圧変換回路を含み、
前記第１電圧変換回路は第２電圧ドメインで動作する少なくとも２つのインバータを含み、
前記第２電圧変換回路は第１電圧ドメインで動作する少なくとも１つのインバータと前記第２電圧ドメインで動作する少なくとも１つのインバータとを含む、マルチメディア装置。
【請求項９】
前記レベル変換器は、
前記入力ノードの電圧にしたがって前記第２電圧ドメインの第２電圧又は接地電圧を出力する第１インバータと、
前記第１インバータの出力にしたがって前記第２電圧又は接地電圧を出力ノードに出力する第２インバータと、
前記入力ノードの電圧にしたがって前記第１電圧ドメインの第１電圧又は接地電圧を出力する第３インバータと、
前記第３インバータの出力にしたがって前記第２電圧又は接地電圧を前記出力ノードに出力する第４インバータと、を含む請求項８に記載のマルチメディア装置。
【請求項１０】
前記プロセッサー、動作メモリー、ディスプレー制御部、サウンド制御部、コーデック部、及び位相ロックループはシステムオンチップを構成し、
前記動作メモリー、ディスプレー制御部、サウンド制御部、及びコーデック部は前記第１クロックに応じて動作する請求項８に記載のマルチメディア装置。
【請求項１１】
前記プロセッサーの制御にしたがって、カメラから獲得されるイメージデータを処理するように構成されるイメージプロセシング部をさらに含む請求項８に記載のマルチメディア装置。
【請求項１２】
前記プロセッサー、ディスプレー制御部、サウンド制御部、イメージプロセシング部、動作メモリー、コーデック部、及び位相ロックループはシステムオンチップを構成し、
前記ディスプレー制御部、サウンド制御部、イメージプロセシング部、動作メモリー、及びコーデック部は前記第１クロックに応じて動作する請求項１１に記載のマルチメディア装置。
【請求項１３】
前記プロセッサー、ディスプレー制御部、サウンド制御部、モデム、イメージプロセシング部、動作メモリー、コーデック部、及び位相ロックループはシステムオンチップに含まれ、
前記ディスプレー制御部、サウンド制御部、モデム、イメージプロセシング部、動作メモリー、及びコーデック部は前記第１クロックに応じて動作する請求項１１に記載のマルチメディア装置。
【請求項１４】
前記プロセッサー、ディスプレー制御部、サウンド制御部、動作メモリー、コーデック部、及び位相ロックループはシステムオンチップに含まれ、
前記ディスプレー制御部、サウンド制御部、動作メモリー、及びコーデック部は前記第１クロックに応じて動作する請求項１１に記載のマルチメディア装置。
【請求項１５】
前記プロセッサー、ディスプレー制御部、サウンド制御部、動作メモリー、及び位相ロックループはシステムオンチップに含まれ、
前記ディスプレー制御部、サウンド制御部、及び動作メモリーは前記第１クロックに応じて動作する請求項１１に記載のマルチメディア装置。
【請求項１６】
前記プロセッサー、ディスプレー制御部、動作メモリー、及び位相ロックループはシステムオンチップに含まれ、
前記ディスプレー制御部、及び動作メモリーは前記第１クロックに応じて動作する請求項１１に記載のマルチメディア装置。
【請求項１７】
前記プロセッサー、動作メモリー、及び位相ロックループはシステムオンチップに含まれ、
前記動作メモリーは前記第１クロックに応じて動作する請求項１１に記載のマルチメディア装置。
【請求項１８】
前記プロセッサー、サウンド制御部、動作メモリー、及び位相ロックループはシステムオンチップに含まれ、
前記サウンド制御部及び動作メモリーは前記第１クロックに応じて動作する請求項１１に記載のマルチメディア装置。
【請求項１９】
前記プロセッサー、動作メモリー、モデム、格納部、使用者インターフェイス、ディスプレー制御部、ディスプレー部、サウンド制御部、スピーカー、発振器、クロック発生部、カメラ、イメージプロセシング部、コーデック部、及び位相ロックループはモバイル装置に含まれる請求項８に記載のマルチメディア装置。
【請求項２０】
前記プロセッサー、動作メモリー、モデム、格納部、使用者インターフェイス、ディスプレー制御部、ディスプレー部、サウンド制御部、スピーカー、発振器、クロック発生部、カメラ、イメージプロセシング部、コーデック部、及び位相ロックループはスマートテレビ（Ｓｍａｒｔ  Ｔｅｌｅｖｉｓｉｏｎ）に含まれる請求項８に記載のマルチメディア装置。
【請求項２１】
第１電圧変換回路と、
入力ノードと出力ノードとの間に前記第１電圧変換回路と並列に連結される第２電圧変換回路と、を含み、
前記入力ノードに入力される第１電圧ドメインの第１クロックに応じて前記出力ノードから第２電圧ドメインの第２クロックが出力され、
前記第１クロックの立ち上がりエッジ及び前記第２クロックの立ち上がりエッジの間の遅延時間は前記第１クロックの立ち下がりエッジ及び前記第２クロックの立ち下がりエッジ間の遅延時間と同一であり、
前記第１電圧変換回路は第２電圧ドメインで動作する少なくとも２つのインバータを含み、
前記第２電圧変換回路は第１電圧ドメインで動作する少なくとも１つのインバータと前記第２電圧ドメインで動作する少なくとも１つのインバータとを含む、レベル変換器。